(57)【要約】【課題】  本来、捕球時に折れ曲がらなくてはならないラインで確実に折れ曲がるようにし、指の力をグラブに伝えることを可能とし、確実な捕球を実現する。【解決手段】  指袋を構成する外皮及び内皮を備える野球用グラブである。少なくとも薬指に対応する部分に補強部材が設けられる。補強部材には、捕球時の折れ曲がり線に対応して折り曲げ容易部が設けられている。補強部材は、フェルト芯、若しくはフェルト芯とこの上に縫い付けられたプラスチック板とから構成される。補強部材には、他の部分に比べて幅狭とすることで折り曲げ容易部が構成されている。【選択図】  図２
2006034738.tif 000002
【特許請求の範囲】
【請求項１】
指袋を構成する外皮及び内皮を備える野球用グラブであって、
少なくとも薬指に対応する部分に補強部材が設けられるとともに、当該補強部材には、捕球時の折れ曲がり線に対応して折り曲げ容易部が設けられていることを特徴とする野球用グラブ。
【請求項２】
前記補強部材は、フェルト芯とこの上に縫い付けられたプラスチック板とから構成されていることを特徴とする請求項１記載の野球用グラブ。
【請求項３】
前記補強部材は、他の部分に比べて幅狭とすることで前記折り曲げ容易部が構成されていることを特徴とする請求項１又は２記載の野球用グラブ。
【請求項４】
前記補強部材は、先端部が薬指を含む複数の指に対応して分岐され、前記折り曲げ容易部より基端側は一体化されていることを特徴とする請求項１から３のいずれか１項記載の野球用グラブ。
【請求項５】
前記補強部材は、薬指を含む複数の指に対応して複数設けられていることを特徴とする請求項１から３のいずれか１項記載の野球用グラブ。
【請求項６】
手の平の中央部分が接する部分にクッション材が設けられていることを特徴とする請求項１から５のいずれか１項記載の野球用グラブ。
【発明の詳細な説明】
【技術分野】
【０００１】
本発明は、野球やソフトボール等に用いられる野球用グラブに関するものである。
【背景技術】
【０００２】
野球用グラブは、一般に外皮と内皮とから構成される二重構造を有し、確実な捕球の実現のために、指の力を確実にグラブに伝えるための構造が種々提案されている。例えば、親指や小指に対応して補強板を入れ、これを先端補強板と根部補強板とに分離した構造とすることもその一つである（例えば、特許文献１や特許文献２等を参照）。
【特許文献１】特許第２８６３８２４号公報
【特許文献２】特開２００３−１１３２５９号公報
【発明の開示】
【発明が解決しようとする課題】
【０００３】
しかしながら、捕球動作時に一番の要と言われている薬指部分には、親指や小指と違い、グラブの構造上、プラスチックの成形体等を入れて強化することは困難であり、図５に示すように、内皮１０１に各指に対応してフェルト芯１０２等を貼り合わせたり縫い合わせて、ある程度の補強が図られているに過ぎない。このため、使用後、短期間のうちにその部分にヘタリを生じ、確実な捕球の妨げになっている。
【０００４】
前記使用後、短期間のうちに生ずるヘタリとは、捕球時にボールの衝撃が加わる手の平部分での外皮や内皮のヘタリであって、このようなヘタリが生ずると、本来、捕球時に折れ曲がらなくてはならないラインで折れ曲がらなくなるという不都合が生ずる。具体的には、前記ヘタリが生じた場合、薬指の指先に力を入れたグラブを閉じようとすると、捕球部の薬指付近が容易に盛り上がってしまい、捕球の妨げとなり、時には指先の怪我の原因になる。
【０００５】
本来、捕球部は、湾曲にへこんだ形状を保っているのが理想的であるが、この部分を支える芯材がフェルトのみであると、このような状態を保つことは難しい。その結果、薬指の指先の力がグラブに伝わる度合いは、グラブの薬指付近が盛り上がってしまうことで緩衝されてしまい、グラブの指先まで伝わり難くなってしまう。その結果、グラブの捕球部（ポケット部）とグラブの指先が連動せず、例えば捕球部が先、グラブの指先は後というように、チグハグな動きとなってしまっている。
【０００６】
本発明は、このような従来の実情に鑑みて提案されたものである。すなわち、本発明は、本来、捕球時に折れ曲がらなくてはならないラインで折れ曲がるようにし、指の力をグラブに伝えることが可能で、確実な捕球を実現することが可能な野球用グラブを提供することを目的とする。
【課題を解決するための手段】
【０００７】
前述の目的を達成するために、本発明の野球用グラブは、指袋を構成する外皮及び内皮を備える野球用グラブであって、少なくとも薬指に対応する部分に補強部材が設けられるとともに、当該補強部材には、捕球時の折れ曲がり線に対応して折り曲げ容易部が設けられていることを特徴とする。
【０００８】
本発明の野球用グラブでは、薬指に対応する部分に補強部材が設けられている。また、この補強部材には、折り曲げ容易部が設けられており、ヒンジ折り曲げの動きが可能な形となっている。その結果、捕球時には角度のある曲がり方をし、捕球時の折れ曲がり線が確実にダウンし、捕球部において湾曲にへこんだ形状が保たれる。
【発明の効果】
【０００９】
本発明の野球用グラブによれば、捕球時のグラブの薬指捕球部の盛り上がりを防止し、怪我等も防止することができる。また、本発明の野球用グラブでは、薬指の力の伝達が飛躍的に向上し、さらに、グラブの捕球部とグラブの指先が同時に動くようになり、前記チグハグな問題も解決することができる。
【発明を実施するための最良の形態】
【００１０】
以下、本発明を適用した野球用グラブについて、図面を参照して詳細に説明する。
【００１１】
本発明の野球用グラブは、いわゆるグローブやミット（キャッチャー用、ファースト用）等、野球やソフトボールにおいて捕球に用いられるグラブ全般に適用可能である。先ず、その基本構造について説明する。
【００１２】
野球用グラブ１は、外装用の外皮と内装用の内皮とから構成されており、図１に示すように、外観上は、外皮２の親指袋２ａ、人差し指袋２ｂ、中指袋２ｃ、薬指袋２ｄ、小指袋２ｅが革紐３で締結され、人の手の形を模した形態とされている。また、親指袋２ａと人差し指袋２ｂの間には、ウエブと称されるネット状部材４が縫合されており、この部分からボールがこぼれることがないようにされている。
【００１３】
また、前記野球用グラブ１を背面から見たときに、手を挿入するための手口５を有し、ここから手を挿入するようになっている。なお、この手口５には、挿入される手の抜け止め用の手口バンド６が形成されている。手口バンド６は、一端が前記親指袋２ａの基端部を延長する形で縫い付けられ、他端が小指袋２ｅの基端部に設けられた孔に革紐７を挿通することによって締結されている。
【００１４】
一方、内皮１０は、図２に示すように、手の平が接する表面シート１１と、各指を背後から包み込む背面シート１２とから構成され、これらが重ね合わされて周囲が縫合されている。表面シート１１は、手を形どった形状を有し、手の平が接する手の平部１１ａから、親指片１１ｂ、人差し指片１１ｃ、中指片１１ｄ、薬指片１１ｅ、小指片１１ｆが延設されている。
【００１５】
背面シート１２は、各指の太さに対応して、これを収容するに足る十分な内径寸法となるように各指の背面を覆う形で表面シート１１に対して縫合される。この背面シート１２は、各指の指先部分まで覆う形で形成してもよいし、各指を中途位置まで覆う形で形成してもよい。
【００１６】
そして、本実施形態では、前記内皮１０の人差し指片１１ｃ、中指片１１ｄ、薬指片１１ｅに対応してフェルト芯１３，１４，１５が貼り付けられているが、特に、薬指片１１ｅに対応したフェルト芯１５は、手の平部分まで延長されている。また、この薬指片１１ｅに対応したフェルト芯１５上には、さらにプラスチック板１６が補強のために縫製固定されている。
【００１７】
本実施形態では、これらフェルト芯１５及びプラスチック板１６が薬指に対応する部分の補強部材として機能するが、これらフェルト芯１５及びプラスチック板１６には、捕球時の折れ曲がり線に対応して折り曲げ容易部が設けられている。具体的には、捕球時の折れ曲がり線をＡ−Ａ線として表したときに、このＡ−Ａ線に沿って前記フェルト芯１５及びプラスチック板１６が折れ曲がり易くなっている。ここでは、前記フェルト芯１５及びプラスチック板１６に、それぞれくびれ部１５ａ、１６ａを設け、この部分の幅を他の部分よりも狭くすることで、ヒンジ折れ曲がりの動きが可能な形にしている。
【００１８】
前記のような形態で延長したフェルト芯１５は、指先部分１５ｂと基端部分１５ｃとが角度のある曲がり方をし、Ａ−Ａ線がダウンするようになる。すなわち、フェルト芯１５に縫い付けてあるプラスチック板１６がダンボールの折り曲げ部と同様な動きをし、このため、前記Ａ−Ａ線が支点となり、その両サイドに指先部分１５ｂと基端部分１５ｃが設けられた状態となる。したがって、図１において、Ｃ部がアップするとともに、Ｄ部がダウンし、確実な捕球動作が可能となる。
【００１９】
前述の折り曲げ容易部を持った補強部材は、少なくとも薬指に設けるのが効果的であるが、これに加えて他の指、例えば中指にも同様の補強部材を設けても良い。図３は、薬指と中指に対応して補強部材を設けた例を示すものである。この例では、中指に対応して貼り付けられたフェルト芯１４を、指先部１４ｂに加えて基端部１４ｃを延長形成し、薬指に対応するフェルト芯１５に設けられるプラスチック板１６と同様のプラスチック板１７を縫い合わせている。
【００２０】
このプラスチック板１７やフェルト芯１４についても、くびれ部１４ａ、１７ａが設けられ、この部分の幅を他の部分よりも狭くすることで、Ａ−Ａ線を支点とするヒンジ折れ曲がりの動きが可能である。
【００２１】
あるいは、図４に示すように、薬指のフェルト芯１５と中指のフェルト芯１４を、指先部分１５ｂ，１４ｂは分岐し、基端部は薬指の基端部１５ｃに一体化された構造とし、これに対応して分岐したプラスチック板１８を縫い合わせる構造とすることも可能である。この場合にも、フェルト芯１５に設けられるプラスチック板１８にくびれ部１５ａ、１８ａを設けることで、Ａ−Ａ線を支点とするヒンジ折れ曲げ動作が可能となり、同様の効果を得ることができる。
【００２２】
さらに、図１に示す野球用グラブ１において、手の平の中央に対応する部分Ｅに衝撃吸収材を入れ、段差をなくすことを併用することも有効である。この衝撃吸収材を入れることで、前記Ｅ部がアップしＤ部と平坦になることで捕球部に発生する段差を無くすことができ捕球をよりスムーズに行うことができる。
【図面の簡単な説明】
【００２３】
【図１】野球用グラブの外形形状を示す斜視図である。
【図２】内皮に設けられる補強部材の一例を示す斜視図である。
【図３】内皮に設けられる補強部材の他の例を示す斜視図である。
【図４】内皮に設けられる補強部材のさらに他の例を示す斜視図である。
【図５】従来のフェルト芯の一例を示す斜視図である。
【符号の説明】
【００２４】
１  野球用グラブ、２  外皮、４  ネット状部材、１０  内皮、１１  表面シート、１２  背面シート、１３，１４，１５  フェルト芯、１４ａ，１５ａ  くびれ部、１４ｂ，１５ｂ  指先部、１４ｃ，１５ｃ  基端部、１６，１７，１８  プラスチック板、１６ａ，１７ａ，１８ａ  くびれ部
【図１】
2006034738.tif 000003
【図２】
2006034738.tif 000004
【図３】
2006034738.tif 000005
【図４】
2006034738.tif 000006
【図５】
2006034738.tif 000007